(57)【特許請求の範囲】
【請求項１】
被処理水に含有される有機物を処理する生物処理水槽と、
前記生物処理水槽から排出される被処理水が収容される原水槽と、
筒形状のケーシングと、前記ケーシングの内部において前記ケーシングの延在方向に延在して、単一主要構成素材に親水性モノマーが共重合された単層構造を有する複数の管状濾過膜と、
前記ケーシングの延在方向の一端に設けられ、前記複数の管状濾過膜の一端が連結された複数の貫通孔を有する第一隔壁と、
前記ケーシングの延在方向の他端に設けられ、前記複数の管状濾過膜の他端が連結された複数の貫通孔を有する第二隔壁と、
前記管状濾過膜の一端同士、及び前記管状濾過膜の他端同士を前記複数の管状濾過膜が直列的に接続されるように接続する膜接続溝を備えた一対の膜接続板と、を備えた膜モジュールを有し、前記原水槽から供給される被処理水を透過水と濃縮水とに分離する膜分離装置と、
前記濃縮水を前記生物処理水槽に返送する返送ラインと、を備え、前記原水槽には前記濃縮水を全く返送しない水処理システム。
【請求項２】
前記膜分離装置は、互いに直列的に接続されている複数の前記膜モジュールを有する請求項１に記載の水処理システム。
【発明の詳細な説明】
【技術分野】
【０００１】
本発明は、し尿などの有機性廃水を処理する水処理システムに関する。
【背景技術】
【０００２】
し尿などの有機性廃水を処理する場合、固液の分離にＭＦ（精密濾過）、ＵＦ（限外濾過）などの膜分離を用いることが主流となっている。
膜分離装置としては、円筒形状のケーシングと、ケーシング内に収容された複数の管状濾過膜（中空糸膜）と、を備えた複数の膜モジュールを用い、管状濾過膜の内側に原水を循環させながら濾過する方式の装置が知られている（例えば、特許文献１参照）。管状濾過膜を透過した透過水は、吸引ポンプによって吸引されて、例えば、貯留槽に貯留されて適宜利用される。
【先行技術文献】
【特許文献】
【０００３】
【特許文献１】特開２０１３−０５２３３８号公報
【発明の概要】
【発明が解決しようとする課題】
【０００４】
ところで、従来の膜分離装置は、複数の膜モジュールのケーシングに収容された管状濾過膜の配列方法が並列方式となっている。即ち、被処理水はケーシングのヘッダを介して複数の管状濾過膜内に導入される。
このような形態の場合、循環する被処理水の量が多くなるため、運転動力が大きくなってしまうという課題があった。また、各々の管状濾過膜に被処理水が均等に供給されない場合、膜面流速が不均一になり、管状濾過膜に汚泥が堆積したり停滞したりするという課題がある。汚泥の堆積や停滞によって、（１）有効活用されない管状濾過膜が生じる、（２）ＦＬＵＸ（流出量）の低下、（３）管状濾過膜の閉塞、などの不具合が発生するという課題がある。
【０００５】
この発明は、水処理システムの運転動力の低減を図るとともに、管状濾過膜に汚泥が堆積したり、停滞したりすることを抑制することができる水処理システムを提供することを目的とする。
【課題を解決するための手段】
【０００６】
本発明の第一の態様によれば、水処理システムは、被処理水に含有される有機物を処理する生物処理水槽と、前記生物処理水槽から排出される被処理水が収容される原水槽と、筒形状のケーシングと、前記ケーシングの内部において前記ケーシングの延在方向に延在して、単一主要構成素材に親水性モノマーが共重合された単層構造を有する複数の管状濾過膜と、前記ケーシングの延在方向の一端に設けられ、前記複数の管状濾過膜の一端が連結された複数の貫通孔を有する第一隔壁と、前記ケーシングの延在方向の他端に設けられ、前記複数の管状濾過膜の他端が連結された複数の貫通孔を有する第二隔壁と、前記管状濾過膜の一端同士、及び前記管状濾過膜の他端同士を前記複数の管状濾過膜が直列的に接続されるように接続する膜接続溝を備えた一対の膜接続板と、を備えた膜モジュールを有し、前記原水槽から供給される被処理水を透過水と濃縮水とに分離する膜分離装置と、前記濃縮水を前記生物処理水槽に返送する返送ラインと、を備え、前記原水槽には前記濃縮水を全く返送しない。
【０００７】
このような構成によれば、複数の管状濾過膜を並列的に接続する方式と比較して、管状濾過膜を流れる被処理水の流量を少なくすることができる。これにより、被処理水を循環させるための運転動力を小さくすることができる。また、膜面流速が均一となるため、管状濾過膜に汚泥が堆積したり停滞したりするのを抑制することができる。
【００１０】
このような構成によれば、膜モジュールの組み立て工程を簡略化することができる。また、部品点数が減ることによって、分解・清掃を容易とすることができる。
【００１３】
上記水処理システムにおいて、前記膜分離装置は、互いに直列的に接続されている複数の前記膜モジュールを有してよい。
【００１４】
このような構成によれば、膜分離装置に接続される配管が各々１箇所になり、水処理システムを循環する被処理水の流量を少なくすることができる。これにより、被処理水を循環させるための運転動力を小さくすることができる。
【発明の効果】
【００１５】
本発明によれば、複数の管状濾過膜を並列的に接続する方式と比較して、管状濾過膜を流れる被処理水の流量を少なくすることができる。これにより、被処理水を循環させるための運転動力を小さくすることができる。また、膜面流速が均一となるため、管状濾過膜に汚泥が堆積したり停滞したりするのを抑制することができる。
【図面の簡単な説明】
【００１６】
【図１】本発明の第一実施形態の水処理システムの概略構成図である。
【図２】本発明の第一実施形態の膜モジュールの概略断面図である。
【図３】本発明の第二実施形態の水処理システムの概略構成図である。
【図４】本発明の第三実施形態の膜モジュールの第一隔壁及び膜接続板の分解斜視図である。
【図５】本発明の第三実施形態の膜モジュールの第一隔壁及び膜接続板の概略断面図である。
【発明を実施するための形態】
【００１７】
（第一実施形態）
以下、本発明の第一実施形態の膜モジュール１を有する水処理システム１０について図面を参照して詳細に説明する。
図１に示すように、本実施形態の水処理システム１０は、被処理水Ｗ１（し尿、浄化槽汚泥を含む有機性廃水）に含まれる有機物を処理する生物処理水槽１１と、生物処理水槽１１から排出される被処理水Ｗ２が収容される原水槽１２と、原水槽１２から供給される被処理水Ｗ３（原水）を透過水ＰＷと濃縮水Ｗ４とに分離する膜分離装置１３と、を備えている。
【００１８】
生物処理水槽１１は、例えば、硝化菌と脱窒菌の作用により液中のＢＯＤ、窒素化合物等を分解除去する装置である。生物処理水槽１１には、第一配管１５を介して被処理水Ｗ１が供給される。生物処理水槽１１と原水槽１２とは第二配管１６によって接続されている。
【００１９】
膜分離装置１３は、複数の膜モジュール１を備えている。複数の膜モジュール１は、並列に配列されている。複数の膜モジュール１は、膜分離装置１３の筐体内に、縦向きで配置されている。即ち、膜モジュール１の円筒形状のケーシング２（図２参照）の軸線Ａは、鉛直方向に延在している。
図２に示すように、膜モジュール１は、ケーシング２と、ケーシング２の内部に配置された複数の管状濾過膜３とを有している。膜分離装置１３は、管状濾過膜３の内側に被処理水Ｗ３を循環させながら濾過する方式を用い、被処理水Ｗ３から透過水ＰＷを取り出す装置である。
【００２０】
原水槽１２と膜分離装置１３とは原水供給配管１７を介して接続されている。原水供給配管１７には、循環ポンプ２１が設けられている。原水槽１２から排出された被処理水Ｗ３は、循環ポンプ２１によって加圧されながら、膜分離装置１３に供給される。
膜分離装置１３から分離される透過水ＰＷは、透過水配管１８に導入される。透過水配管１８は、貯留槽２０に接続されている。即ち、膜モジュール１の透過水排出口９（図２参照）は、透過水配管１８に接続されている。透過水配管１８には、吸引ポンプ２２が設けられている。
【００２１】
透過水ＰＷが分離されて膜分離装置１３から排出される濃縮水Ｗ４は、余剰汚泥を除く全量が返送配管１９（返送ライン）を介して生物処理水槽１１に返送される。即ち、膜モジュール１の濃縮水排出口８（図２参照）は、返送配管１９に接続されている。
よって、濃縮水Ｗ４は、原水槽１２に返送されない。生物処理水槽１１から排出された被処理水Ｗ２は、原水槽１２、膜分離装置１３を介して、生物処理水槽１１に戻る。即ち、被処理水Ｗは、水処理システム１０の配管を循環する。
【００２２】
上述したように、複数の膜モジュール１は、並列に配列されている。具体的には、原水供給配管１７、透過水配管１８、及び返送配管１９は、各々の膜モジュール１に接続されている。
【００２３】
図２に示すように、膜モジュール１は、円筒形状のケーシング２と、複数の管状濾過膜３と、を備えている。
ケーシング２は、円筒形状をなすケーシング本体４と、ケーシング本体４の下端を閉鎖する第一側壁５と、ケーシング本体４の上端を閉鎖する第二側壁６と、ケーシング本体４に形成された被処理水導入口７と、ケーシング本体４に形成された濃縮水排出口８と、ケーシング本体４に形成された透過水排出口９と、を有している。
【００２４】
膜モジュール１は、ケーシング２の内部を３つの空間に分割する、第一隔壁３０と第二隔壁３１と、を備えている。第一隔壁３０と第二隔壁３１とには、複数の挿通孔３２が形成されている。挿通孔３２は、第一隔壁３０及び第二隔壁３１の板厚方向に貫通する貫通孔である。挿通孔３２の内径は、管状濾過膜３の外径よりもやや大きい。
第一隔壁３０は、ケーシング２の延在方向の一端に設けられ、複数の管状濾過膜３の一端は、複数の貫通孔３２に連結されている。第二隔壁３１は、ケーシング２の延在方向の他端に設けられ、複数の管状濾過膜３の他端は、複数の貫通孔３２に連結されている。
【００２５】
第一隔壁３０は、板形状をなす部材であり、ケーシング２の延在方向の下方（第一側壁５の側）に固定されている。ケーシング本体４と、第一隔壁３０と、第一側壁５とによって囲まれる空間は、下部ヘッダ空間Ｓ１である。
第二隔壁３１は、板形状をなす部材であり、ケーシング２の延在方向の上方（第二側壁６の側）に固定されている。ケーシング本体４と、第二隔壁３１と、第二側壁６とによって囲まれる空間は、上部ヘッダ空間Ｓ２である。
ケーシング本体４と、第一隔壁３０と、第二隔壁３１とによって囲まれる空間は、透過水空間Ｓ３である。複数の管状濾過膜３から取り出された透過水ＰＷは、透過水空間Ｓ３に排出された後、透過水排出口９を介して透過水配管１８に導入される。
【００２６】
被処理水導入口７は、ケーシング２の外部と下部ヘッダ空間Ｓ１とを連通させる開口である。被処理水導入口７は、ケーシング本体４に形成されている。被処理水導入口７は、ケーシング２の軸線Ａ方向における、第一隔壁３０と、第一側壁５との間に設けられている。
濃縮水排出口８は、ケーシング２の外部と上部ヘッダ空間Ｓ２とを連通させる開口である。濃縮水排出口８は、ケーシング本体４に形成されている。濃縮水排出口８は、ケーシング２の軸線Ａ方向における、第二隔壁３１と、第二側壁６との間に設けられている。
透過水排出口９は、ケーシング２の外部と透過水空間Ｓ３とを連通させる開口である。透過水排出口９は、ケーシング本体４に形成されている。透過水排出口９は、ケーシング２の軸線Ａ方向における、第一隔壁３０と、第二隔壁３１との間に設けられている。
【００２７】
各々の管状濾過膜３の一端は、第一隔壁３０の挿通孔３２に挿通された上で、挿通孔３２の内周面に固定されている。挿通孔３２の内周面と管状濾過膜３の外周面との間は、シール材（図示せず）によってシールされている。シール材としては、エポキシ樹脂やウレタン樹脂など、初期に粘性を持ち、経時的に硬化する材料が好ましい。
各々の管状濾過膜３の他端は、管状濾過膜３の一端と同様の方法で第二隔壁３１の挿通孔３２に固定されている。
【００２８】
本実施形態の複数の管状濾過膜３は、直列的に接続されている。具体的には、本実施形態の膜モジュール１は、管状濾過膜３の一端同士、及び管状濾過膜３の他端同士を複数の管状濾過膜３が直列的に接続されるように接続している。
管状濾過膜３の端部同士は、Ｕ字状の膜接続管３４によって接続されている。Ｕ字状の膜接続管３４は、例えば、ＰＯＭなどのエンジニアリングプラスチックで形成され、湾曲された円筒状の接続部材である。膜接続管３４は、ＳＵＳ３０４など耐腐食性に優れた金属で形成してもよい。膜接続管３４の端部は、隔壁３０，３１の挿通孔３２に接続されている。膜接続管３４の端部を直接的に管状濾過膜３に接続してもよい。
【００２９】
管状濾過膜３は、円筒形状をなし、単一主要構成素材に親水性モノマーが共重合された単層構造の高分子濾過膜によって形成されている。
即ち、管状濾過膜３は、主要材料が１種類の素材によって形成されている。主要材料が１種類の素材によって形成されているということは、管状濾過膜３を形成する素材（例えば、樹脂）において、１種類樹脂が５０％質量％以上を占めていることを意味する。
また、主要材料が１種類の素材によって形成されているということは、その１種類の素材の性質が構成素材の性質を支配していることを意味する。具体的には、１種類の樹脂が５０質量％−９９質量％を有する素材を意味する。
【００３０】
管状濾過膜３を構成する主要材料としては、塩化ビニル系樹脂、ポリスルホン（ＰＳ）系、ポリビニリデンフルオライド（ＰＶＤＦ）系、ポリエチレン（ＰＥ）などのポリオレフィン系、ポリアクリロニトリル（ＰＡＮ）系、ポリエーテルスルフォン系、ポリビニルアルコール（ＰＶＡ）系、ポリイミド（ＰＩ）系などの高分子材料を用いることができる。
【００３１】
管状濾過膜３を構成する主要材料としては、特に塩化ビニル系樹脂が好ましい。塩化ビニル系樹脂としては、塩化ビニル単独重合体（塩化ビニルホモポリマー）、塩化ビニルモノマーと共重合可能な不飽和結合を有するモノマーと塩化ビニルモノマーとの共重合体、重合体に塩化ビニルモノマーをグラフト共重合したグラフト共重合体、これらの塩化ビニルモノマー単位が塩素化されたものからなる（共）重合体などが挙げられる。
【００３２】
親水性モノマーとしては、例えば、
（１）アミノ基、アンモニウム基、ピリジル基、イミノ基、ベタイン構造などのカチオン性基含有ビニルモノマー及び／又はその塩、
（２）水酸基、アミド基、エステル構造、エーテル構造などの親水性の非イオン性基含有ビニルモノマー、
（３）カルボキシル基、スルホン酸基、リン酸基などのアニオン性基含有ビニルモノマー及び／又はその塩、
（４）その他のモノマー等が挙げられる。
管状濾過膜の管径は、被処理水Ｗの性状等によって適宜選択することができ、例えば被処理水Ｗ３における粗繊維量αが２００ｍｇ／リットル以下の場合は、管状濾過膜３の内径を５ｍｍ以下、粗繊維量αが２００ｍｇ／リットルより大きく５００ｍｇ／リットルより小さい場合は、管状濾過膜３の内径を５ｍｍ−１０ｍｍ、粗繊維量αが５００ｍｇ／リットル以上の場合は、管状濾過膜３の内径を１０ｍｍ以上とすることができる。管径を選択する事によって、粗繊維分による管状濾過膜３の閉塞を抑制することができる。
【００３３】
次に、本実施形態の水処理システム１０の作用について説明する。
まず、被処理水Ｗ１は、生物処理水槽１１において処理される。具体的には被処理水Ｗ１に含まれる有機性物質が微生物によって分解される。
次いで、生物処理水槽１１から排出された被処理水Ｗ２は、原水槽１２に貯留される。原水槽１２から排出された被処理水Ｗ３は、循環ポンプ２１を介して膜分離装置１３に供給されると、膜モジュール１の管状濾過膜３内に送り込まれる。一方、膜モジュール１のケーシング２内の透過水空間Ｓ３は吸引ポンプ２２の作動により、負圧となる。吸引ポンプ２２は、透過水排出口９を通して管状濾過膜３を流れる被処理水Ｗ３の流れに対して略直交する方向に吸引する。管状濾過膜３から透過された透過水ＰＷは、透過水排出口９及び透過水配管１８を介して貯留槽２０に貯留される。
【００３４】
ここで、図２を用いて膜モジュール１内における被処理水Ｗ３の流れを説明する。
複数の管状濾過膜３が直列的に接続されていることによって、下部ヘッダ空間Ｓ１に流入した被処理水Ｗ３は、第一管状濾過膜３ａに導入される。次いで、被処理水Ｗ３は、膜接続管３４ａを介して、第二管状濾過膜３ｂに導入される。その後、被処理水Ｗ３は、第三管状濾過膜３ｃ、第四管状濾過膜３ｄを介して、第五管状濾過膜３ｅに導入される。被処理水Ｗ３は、第五管状濾過膜３ｅから上部ヘッダ空間Ｓ２に流入した後、濃縮水排出口８から排出される。
即ち、管状濾過膜３の配列を直列方式にすることによって、必ず、全ての管状濾過膜３の内部を同量の被処理水Ｗ３が通過する。
また、第一管状濾過膜３ａと被処理水導入口７、及び第五管状濾過膜３ｅを濃縮水排出口８とを、接続部材３９及び接続部材４０を介して直接に接続してもよい。この場合、上部ヘッダ空間Ｓ２を設けなくてもよく、第二側壁６をなくすなど、ケーシングの構成を変更できる。
【００３５】
膜分離装置１３から排出された濃縮水Ｗ４の全量は、返送配管１９を介して生物処理水槽１１に返送されて、再度、処理が行われる。
【００３６】
上記実施形態によれば、複数の管状濾過膜３を並列的に接続する方式と比較して、膜モジュール１を流れる被処理水Ｗ３の流量を少なくすることができる。これにより、被処理水Ｗを循環させるための運転動力を小さくすることができる。
また、被処理水Ｗの流量を少なくしない場合は、膜面流速を向上させることができる。これにより、管状濾過膜３の膜面に汚泥が堆積するのを抑制することができる。
【００３７】
また、膜面流速が均一となるため、管状濾過膜３に汚泥が堆積したり停滞したりするのを抑制することができる。これにより、全ての管状濾過膜３を有効活用することができる。また、ＦＬＵＸ（流出量）の低下を抑制することができる。さらに、管状濾過膜３が閉塞するのを抑制することができる。
【００３８】
また、管状濾過膜３を親水性を有する材料で形成することによって、被処理水Ｗ３の膜面流速を低くすることができる。膜面流速は、例えば、０．１５ｍ／ｓ−０．３０ｍ／ｓとすることができる。
【００３９】
管状濾過膜３が疎水性である場合、膜面流速を高くする必要がある（例えば、２．５ｍ／ｓ）。このため、循環流量が多くなり、膜分離装置１３から排出される濃縮水Ｗ４を、原水槽１２及び生物処理水槽１１に返送する必要が生じる。原水槽１２及び生物処理水槽１１に返送するためには、濃縮水Ｗ４を原水槽１２と生物処理水槽１１とに分配する分配タンクや、濃縮水Ｗ４を原水槽１２に返送する配管が必要となる。
【００４０】
本実施形態の水処理システム１０は、膜面流速を低くすることができるため、被処理水Ｗの循環流量を少なくすることができる。これにより、循環ポンプ２１の動力を低減することができる。また、被処理水Ｗ４を原水槽１２と生物処理水槽１１とに分配する分配タンクや、被処理水Ｗ４を原水槽１２から生物処理水槽１１に返送する返送ポンプが不要となる。
また、流量が少なくなることにより、配管を小径化することができる。また、流量が少なくなることにより、流量計などの機器の削減が可能となる。
【００４１】
（第二実施形態）
以下、本発明の第二実施形態の水処理システム１０Ｂを図面に基づいて説明する。なお、本実施形態では、上述した第一実施形態との相違点を中心に述べ、同様の部分についてはその説明を省略する。
図３に示すように、本実施形態の水処理システム１０Ｂは、複数の膜モジュール１が、互いに直列的に接続されている。例えば、膜分離装置１３が３つの膜モジュール１を備えている場合、原水槽１２から排出された被処理水Ｗ３は、第一膜モジュール１ａのみに導入されて、第一膜モジュール１ａから排出される被処理水は、第二膜モジュール１ｂのみに導入される。第二膜モジュール１ｂから排出される被処理水は、第三膜モジュール１ｃにのみ導入されて、第三膜モジュール１ｃから排出された濃縮水Ｗ４は、返送配管１９に導入される。
【００４２】
上記実施形態によれば、膜分離装置１３に接続される原水供給配管１７及び返送配管１９が各々１箇所になり、水処理システム１０Ｂを循環する被処理水Ｗの流量を少なくすることができる。これにより、被処理水Ｗを循環させるための運転動力を小さくすることができる。
【００４３】
（第三実施形態）
以下、本発明の第三実施形態の膜モジュールを図面に基づいて説明する。なお、本実施形態では、上述した第一実施形態との相違点を中心に述べ、同様の部分についてはその説明を省略する。
図４及び図５に示すように、本実施形態の膜モジュール１Ｃは、第一実施形態の膜接続管３４（図２参照）の代替として、一対の膜接続板３６（図４及び図５には、一対の膜接続板３６のうち一方を示す）を有している。膜接続板３６は、板状をなし、第一隔壁３０の第二隔壁３１を向く面とは反対側の面に密着して取り付けられている。
なお、膜接続板３６は、第二隔壁３１の第一隔壁３０を向く面とは反対側の面にも取り付けられているが、同様の構造であるため説明を省略する。
【００４４】
膜接続板３６は、主面が第一隔壁３０の第二隔壁３１を向く面とは反対側の面に密着するように、第一隔壁３０に接続されている。膜接続板３６の第一隔壁３０に密着する面を密着面３６ａと呼ぶ。膜接続板３６の密着面３６ａには、複数の膜接続溝３７が形成されている。また、膜接続板３６には密着面３６ａとその反対側の面を貫通する被処理水挿通孔３８が形成されている。
膜接続溝３７は、膜接続板３６の密着面３６ａに形成された有底の溝である。膜接続溝３７は、第一実施形態の膜接続管３４と同様の機能を有している。即ち、一の管状濾過膜３を流れる被処理水Ｗは、膜接続溝３７を介して他の管状濾過膜３に流れる。被処理水挿通孔３８は、管状濾過膜３とヘッダ空間とを連通させる孔である。
【００４５】
上記実施形態によれば、複数の膜接続管３４を用いる第一実施形態の膜モジュール１と比較して、膜モジュールの組み立て工程を簡略化することができる。また、部品点数が減ることによって、分解・清掃を容易とすることができる。
【００４６】
以上、本発明の実施形態について詳細を説明したが、本発明の技術的思想を逸脱しない範囲内において、種々の変更を加えることが可能である。
例えば、管状濾過膜３の本数に関して、図２などには５本の管状濾過膜３を示したが、管状濾過膜３の本数はこれに限ることはない。
【００４７】
また、膜モジュール１は、横置きしてもよい。即ち、膜モジュール１を、膜モジュール１の軸線Ａが水平方向に延在するように配置してもよい。膜モジュール１を横置きすることによって、膜モジュール１を複数配置する場合においても、膜モジュール１の交換を容易とすることができる。
【符号の説明】
【００４８】
１  膜モジュール
２  ケーシング
３  管状濾過膜
４  ケーシング本体
５  第一側壁
６  第二側壁
７  被処理水導入口
８  濃縮水排出口
９  透過水排出口
１０  水処理システム
１１  生物処理水槽
１２  原水槽
１３  膜分離装置
１５  第一配管
１６  第二配管
１７  原水供給配管
１８  透過水配管
１９  返送配管（返送ライン）
２０  貯留槽
２１  循環ポンプ
２２  吸引ポンプ
３０  第一隔壁
３１  第二隔壁
３２  挿通孔（貫通孔）
３４  膜接続管（接続部材）
３６  膜接続板（接続部材）
３６ａ  密着面
３７  膜接続溝
３８  被処理水挿通孔
Ａ  軸線
ＰＷ  透過水
Ｓ１  下部ヘッダ空間
Ｓ２  上部ヘッダ空間
Ｓ３  透過水空間
Ｗ１〜Ｗ３  被処理水
Ｗ４  濃縮水
【図１】
0006519874.tif 000002
【図２】
0006519874.tif 000003
【図３】
0006519874.tif 000004
【図４】
0006519874.tif 000005
【図５】
0006519874.tif 000006